(57)【要約】【課題】  耐久性が高く、しかも、汎用性のある建築用ブロックおよび壁面構造物を提供する。【解決手段】  互いに平行な前面壁部１１及び背面壁部１２と、横筋挿通用の横溝１３Ａが形成された上面壁部１３と、縦筋挿通用の縦溝１４が形成された側面壁部１５と、両側面壁部１５（Ｒ），１５（Ｌ）の間に形成され、上記上面壁部１３により閉じられ下面側を開口とされた縦孔１６と、下面に形成された上記横溝１３Ａと嵌合する形状の凸部１７と、上記前面壁部１１及び背面壁部１２の各側面にそれぞれ縦方向に形成された凹条部１８を備える建築用ブロックを用いる。【選択図】  図１
2016027240.tif 000002
【特許請求の範囲】
【請求項１】
矩形立方体を基本形体として、外周面を互いに当接させて平面状に複数配列することにより壁面構造物を構築可能な建築用ブロックであって、
互いに平行な前面壁部及び背面壁部と、
横筋挿通用の横溝が形成された上面壁部と、
縦筋挿通用の縦溝が形成された側面壁部と、
両側面壁部の間に形成され、上記上面壁部により閉じられ下面側を開口とされた少なくとも１つの縦孔と、
下面に形成された上記横溝と嵌合する形状の複数の凸部と、
上記前面壁部及び背面壁部の各側面にそれぞれ縦方向に形成された凹条部と
を備え、
上記複数の凸部は、それぞれ上記横溝の幅方向には該横溝の全幅に亘って連続し、該横溝の横方向に分散して上記下面に形成されていることを特徴とする建築用ブロック。
【請求項２】
矩形立方体を基本形体として、外周面を互いに当接させて平面状に複数配列することにより壁面構造物を構築可能な建築用ブロックであって、
互いに平行な前面壁部及び背面壁部と、
横筋挿通用の横溝が形成された上面壁部と、
縦筋挿通用の縦溝が形成された側面壁部と、
両側面壁部の間に形成され、上記上面壁部により閉じられ下面側を開口とされた少なくとも１つの縦孔と、
下面に形成された上記横溝と嵌合する形状の複数の凸部と、
上記前面壁部及び背面壁部の一端面に、それぞれ、一方の側面壁部から水平方向に突出し縦方向に連続し、他方の側面壁部と嵌合する形状に形成された一対の凸条部を備え、
上記複数の凸部は、それぞれ上記横溝の幅方向には該横溝の全幅に亘って連続し、該横溝の横方向に分散して上記下面に形成されていることを特徴とする建築用ブロック。
【請求項３】
上記縦筋挿通用の縦溝は、上記両側面壁部に形成されていることを特徴とする請求項１又は請求項２記載の建築用ブロック。
【請求項４】
上記縦筋挿通用の縦溝は、一方の側面壁部に形成されており、他方の側面壁部には、上下方向に貫通する縦筋挿通用の縦孔が形成されていることを特徴とする請求項１又は請求項２記載の建築用ブロック。
【請求項５】
矩形立方体を基本形体とし、互いに平行な前面壁部及び背面壁部と、横筋挿通用の横溝が形成された上面壁部と、縦筋挿通用の縦溝が形成された側面壁部と、両側面壁部の間に形成され、上記上面壁部により閉じられ下面側を開口とされた少なくとも１つの縦孔と、下面に形成された上記横溝と嵌合する形状の複数の凸部と、上記前面壁部及び背面壁部の各側面にそれぞれ縦方向に形成された凹条部とを備え、上記複数の凸部は、それぞれ上記横溝の幅方向には該横溝の全幅に亘って連続し、該横溝の横方向に分散して上記下面に形成されている建築用ブロックからなり、
上記縦筋挿通用の縦溝が両側面壁部に形成されている建築用ブロックを水平方向に配列し、水平方向の端部には、上記縦筋挿通用の縦溝が一方の側面壁部に形成されており、上記端部側の他方の側面壁部に上下方向に貫通する縦筋挿通用の縦孔が形成されている建築用ブロックを配置し、各建築用ブロックの外周面を互いに当接させて、上側に位置する建築用ブロックの複数の凸部を下側に位置する建築用ブロックの横溝に嵌合させて平面状に複数配列し、縦筋を挿通した縦溝及び縦孔にモルタルを充填するとともに、横筋を挿通した横溝にモルタルを充填し、上記建築用ブロックの当接面間に目地モルタルを介在させ、各建築用ブロックを互いに連結固定することにより構築したことを特徴とする壁面構造物。
【請求項６】
矩形立方体を基本形体とし、互いに平行な前面壁部及び背面壁部と、横筋挿通用の横溝が形成された上面壁部と、縦筋挿通用の縦溝が形成された側面壁部と、両側面壁部の間に形成され、上記上面壁部により閉じられ下面側を開口とされた少なくとも１つの縦孔と、下面に形成された上記横溝と嵌合する形状の複数の凸部と、上記前面壁部及び背面壁部の一端面に、それぞれ、一方の側面壁部から水平方向に突出し縦方向に連続し、他方の側面壁部と嵌合する形状に形成された一対の凸条部を備え、上記複数の凸部は、それぞれ上記横溝の幅方向には該横溝の全幅に亘って連続し、該横溝の横方向に分散して上記下面に形成されている建築用ブロックからなり、
上記縦筋挿通用の縦溝が両側面壁部に形成されている建築用ブロックを水平方向に配列し、水平方向の端部には、上記縦筋挿通用の縦溝が一方の側面壁部に形成されており、上記端部側の他方の側面壁部に上下方向に貫通する縦筋挿通用の縦孔が形成されている建築用ブロックを配置し、各建築用ブロックの外周面を互いに当接させて、上側に位置する建築用ブロックの複数の凸部を下側に位置する建築用ブロックの横溝に嵌合させて平面状に複数配列し、縦筋を挿通した縦溝及び縦孔にモルタルを充填するとともに、横筋を挿通した横溝にモルタルを充填し、上記建築用ブロックの当接面間に目地モルタルを介在させ、各建築用ブロックを互いに連結固定することにより構築したことを特徴とする壁面構造物。
【請求項７】
水平方向に隣接し、側面壁部が対向して配置される２個の建築用ブロックの各前面壁部又は各背面壁部の当接部分を削除することにより形成された上下方向に連続する開口部を有し、他の建築用ブロックの縦筋挿通用の縦溝が形成された側面壁部により上記開口部を閉塞するように、他の建築用ブロックの前面壁部又は背面壁部の各側面を上記２個の建築用ブロックに当接させることにより構築される３個の建築用ブロックをＴ字状に当接させた壁面構造を含むことを特徴とする請求項５又は請求項６記載の壁面構造物。
【請求項８】
水平方向の端部に位置する建築用ブロックの各前面壁部又は各背面壁部の当接部分を削除することにより形成される上下方向に連続する開口部を有し、他の建築用ブロックの縦筋挿通用の縦溝が形成された側面壁部により上記開口部を閉塞するように、他の建築用ブロックの前面壁部又は背面壁部の各側面を当接させることにより構築される２個の建築用ブロックをＬ字状に当接させた壁面構造を含むことを特徴とする請求項５乃至請求項７の何れか１項記載の壁面構造物。
【発明の詳細な説明】
【技術分野】
【０００１】
本発明は、建築物の壁等を構成する建築用ブロックおよびそれを用いた壁面構造物に関する。
【背景技術】
【０００２】
従来、建築用ブロックとして、ブロック状に成型した粘土を焼成して成るレンガほか、硬練りのコンクリートをブロック状に成型して硬化させたコンクリートブロックが知られる。
【０００３】
例えば、住宅の敷地と道路とを隔てる壁は、通常コンクリートブロックを積み重ね、場合によってはコンクリートブロックの内部に鉄筋を通すことにより構築されている。コンクリートブロックは寸法が規格化されており、多様な品質のものを市場から入手でき、安価で大量に調達することも容易である。
【０００４】
コンクリートブロックには、中空構造のもの（空洞コンクリートブロック）と中実構造のもの（ソリッドコンクリートブロック）があり、用途と用法によって補強コンクリートブロック、型枠コンクリートブロック、帳壁コンクリートブロックなどに分けられる。
【０００５】
補強コンクリートブロックは、空洞コンクリートブロックの中空部に鉄筋を配すると共に、その中空部にコンクリート若しくはモルタルを充填して耐力壁を築造するのに用いられる。又、型枠コンクリートブロックは、Ｌ・Ｔ・Ｈ 形などの形態をしたもので、これらを組み合せて型枠とし、その内側にコンクリートを充填して耐力壁を築造するのに用いられる。さらに、帳壁コンクリートブロックは鉄骨又は鉄筋コンクリート構造体のラーメンの間にブロックを組積して壁体を築造するのに用いられる。
【０００６】
なお、空洞コンクリートにはＢＩ型、ＢＳ型、ＢＭ型の３種があり、その大きさがＪＩＳによって規定されている。
【０００７】
ここで、空洞コンクリートブロックを平面方向に複数個連接したサイズに相当する長方形の中実構造にして、その短辺側と長辺側の少なくとも一方の端面に長溝を形成した平板状軽量コンクリートブロックと、同ブロックの複数個を平面的に積み重ね、上記長溝に鉄筋を配すると共に、その長溝にモルタルを充填して境界壁を構築する方法が提案されている（例えば、特許文献１参照）。
【０００８】
また、嵌合構造により上下左右にブロックの組合せを容易に行うことができ、外面に目地モルタルを構成せず、ブロックの空隙及び上部から植物が生育し緑化を図ることができるようにした緑化ブロックが提案されている（例えば、特許文献２参照）。
【先行技術文献】
【特許文献】
【０００９】
【特許文献１】特開２００２−３３９４８０号公報
【特許文献２】特開２００４−１４７５５３号公報
【発明の概要】
【発明が解決しようとする課題】
【００１０】
しかしながら、壁等の構築に用いられるブロックは、一般的に、単に矩形の立方体の場合もあるが、矩形立法体を基本形体として凹凸形状を付加して結合を強化するものが多用される。例えば、塀の構築に多用されるコンクリートブロックは、３個の縦空洞を有する他、両側面に凹溝を設けたもので、左右に付き合う両ブロックの結合においては、口合わせとなる両凹溝の間にモルタルが詰め込まれる。しかし、これでは、相互に直接の結合がなく、モルタルだけでは強度的安定性に信頼がおけない。
【００１１】
また、隣接するブロックと上下及び左右に互いに嵌合可能な凸部と凹部と備える嵌合構造を採用することにより、上下左右にブロックの組合せを容易に行うことができるのであるが、特許文献２に開示技術のように、外面に目地モルタルを構成せず、ブロックの空隙及び上部から植物が生育し緑化を図ることができるようにした緑化ブロックでは、上下に組み合わされるブロック間で十分な結合強度を確保することができない。すなわち、特許文献２の図２における前後方向にそれぞれ延びる２つの突起１１と２つの突起１６ａとによる結合構造では、上記前後方向に直交するブロックの厚み方向に力が加わった場合に、結合強度を確保することができない。
【００１２】
また、２０１１年の東日本大震災で揺れが強かった地域や液状化現象が発生した地域では、コンクリートブロックの内部に鉄筋を通していても、鉄筋がブロックの重さを支えきれず、壁が傾いたり、根元から倒れたりするなどの被害が発生した。
【００１３】
そこで、本発明の目的は、上述の如き従来の状況に鑑み、耐久性が高く、しかも、汎用性のある建築用ブロックおよび壁面構造物を提供することにある。
【００１４】
本発明の他の目的、本発明によって得られる具体的な利点は、以下に説明される実施の形態の説明から一層明らかにされる。
【課題を解決するための手段】
【００１５】
本発明は、矩形立方体を基本形体として、外周面を互いに当接させて平面状に複数配列することにより壁面構造物を構築可能な建築用ブロックであって、互いに平行な前面壁部及び背面壁部と、横筋挿通用の横溝が形成された上面壁部と、縦筋挿通用の縦溝が形成された側面壁部と、両側面壁部の間に形成され、上記上面壁部により閉じられ下面側を開口とされた少なくとも１つの縦孔と、下面に形成された上記横溝と嵌合する形状の複数の凸部と、上記前面壁部及び背面壁部の各側面にそれぞれ縦方向に形成された凹条部とを備え、上記複数の凸部は、それぞれ上記横溝の幅方向には該横溝の全幅に亘って連続し、該横溝の横方向に分散して上記下面に形成されていることを特徴とする。
【００１６】
また、本発明は、矩形立方体を基本形体として、外周面を互いに当接させて平面状に複数配列することにより壁面構造物を構築可能な建築用ブロックであって、互いに平行な前面壁部及び背面壁部と、横筋挿通用の横溝が形成された上面壁部と、縦筋挿通用の縦溝が形成された側面壁部と、両側面壁部の間に形成され、上記上面壁部により閉じられ下面側を開口とされた少なくとも１つの縦孔と、下面に形成された上記横溝と嵌合する形状の複数の凸部と、上記前面壁部及び背面壁部の一端面に、それぞれ、一方の側面壁部から水平方向に突出し縦方向に連続し、他方の側面壁部と嵌合する形状に形成された一対の凸条部を備え、上記複数の凸部は、それぞれ上記横溝の幅方向には該横溝の全幅に亘って連続し、該横溝の横方向に分散して上記下面に形成されていることを特徴とする。
【００１７】
本発明に係る建築用ブロックは、上記縦筋挿通用の縦溝が上記両側面壁部に形成されているものとすることができる。
【００１８】
また、本発明に係る建築用ブロックは、上記縦筋挿通用の縦溝が一方の側面壁部に形成されており、他方の側面壁部には、上下方向に貫通する縦筋挿通用の縦孔が形成されているものとすることができる。
【００１９】
本発明は、壁面構造物であって、矩形立方体を基本形体とし、互いに平行な前面壁部及び背面壁部と、横筋挿通用の横溝が形成された上面壁部と、縦筋挿通用の縦溝が形成された側面壁部と、両側面壁部の間に形成され、上記上面壁部により閉じられ下面側を開口とされた少なくとも１つの縦孔と、下面に形成された上記横溝と嵌合する形状の複数の凸部と、上記前面壁部及び背面壁部の各側面にそれぞれ縦方向に形成された凹条部とを備え、上記複数の凸部は、それぞれ上記横溝の幅方向には該横溝の全幅に亘って連続し、該横溝の横方向に分散して上記下面に形成されている建築用ブロックからなり、上記縦筋挿通用の縦溝が両側面壁部に形成されている建築用ブロックを水平方向に配列し、水平方向の端部には、上記縦筋挿通用の縦溝が一方の側面壁部に形成されており、上記端部側の他方の側面壁部に上下方向に貫通する縦筋挿通用の縦孔が形成されている建築用ブロックを配置し、各建築用ブロックの外周面を互いに当接させて、上側に位置する建築用ブロックの複数の凸部を下側に位置する建築用ブロックの横溝に嵌合させて平面状に複数配列し、縦筋を挿通した縦溝及び縦孔にモルタルを充填するとともに、横筋を挿通した横溝にモルタルを充填し、上記建築用ブロックの当接面間に目地モルタルを介在させ、各建築用ブロックを互いに連結固定することにより構築したことを特徴とする。
【００２０】
また、本発明は、矩形立方体を基本形体とし、互いに平行な前面壁部及び背面壁部と、横筋挿通用の横溝が形成された上面壁部と、縦筋挿通用の縦溝が形成された側面壁部と、両側面壁部の間に形成され、上記上面壁部により閉じられ下面側を開口とされた少なくとも１つの縦孔と、下面に形成された上記横溝と嵌合する形状の複数の凸部と、上記前面壁部及び背面壁部の一端面に、それぞれ、一方の側面壁部から水平方向に突出し縦方向に連続し、他方の側面壁部と嵌合する形状に形成された一対の凸条部を備え、上記複数の凸部は、それぞれ上記横溝の幅方向には該横溝の全幅に亘って連続し、該横溝の横方向に分散して上記下面に形成されている建築用ブロックからなり、上記縦筋挿通用の縦溝が両側面壁部に形成されている建築用ブロックを水平方向に配列し、水平方向の端部には、上記縦筋挿通用の縦溝が一方の側面壁部に形成されており、上記端部側の他方の側面壁部に上下方向に貫通する縦筋挿通用の縦孔が形成されている建築用ブロックを配置し、各建築用ブロックの外周面を互いに当接させて、上側に位置する建築用ブロックの複数の凸部を下側に位置する建築用ブロックの横溝に嵌合させて平面状に複数配列し、縦筋を挿通した縦溝及び縦孔にモルタルを充填するとともに、横筋を挿通した横溝にモルタルを充填し、上記建築用ブロックの当接面間に目地モルタルを介在させ、各建築用ブロックを互いに連結固定することにより構築したことを特徴とする。
【００２１】
本発明に係る壁面構造物は、水平方向に隣接し、側面壁部が対向して配置される２個の建築用ブロックの各前面壁部又は各背面壁部の当接部分を削除することにより形成された上下方向に連続する開口部を有し、他の建築用ブロックの縦筋挿通用の縦溝が形成された側面壁部により上記開口部を閉塞するように、他の建築用ブロックの前面壁部又は背面壁部の各側面を上記２個の建築用ブロックに当接させることにより構築される３個の建築用ブロックをＴ字状に当接させた壁面構造を含むことを特徴とする。
【００２２】
また、本発明に係る壁面構造物は、水平方向の端部に位置する建築用ブロックの各前面壁部又は各背面壁部の当接部分を削除することにより形成される上下方向に連続する開口部を有し、他の建築用ブロックの縦筋挿通用の縦溝が形成された側面壁部により上記開口部を閉塞するように、他の建築用ブロックの前面壁部又は背面壁部の各側面を当接させることにより構築される２個の建築用ブロックをＬ字状に当接させた壁面構造を含むことを特徴とする。
【発明の効果】
【００２３】
本発明に係る建築用ブロックは、矩形立方体を基本形体として、外周面を互いに当接させて平面状に複数配列することにより壁面構造物を構築可能な建築用ブロックであって、互いに平行な前面壁部及び背面壁部と、横筋挿通用の横溝が形成された上面壁部と、縦筋挿通用の縦溝が形成された側面壁部と、両側面壁部の間に形成され、上記上面壁部により閉じられ下面側を開口とされた少なくとも１つの縦孔と、下面に形成された上記横溝と嵌合する形状の複数の凸部と、上記前面壁部及び背面壁部の各側面にそれぞれ縦方向に形成された凹条部とを備え、上記複数の凸部は、それぞれ上記横溝の幅方向には該横溝の全幅に亘って連続し、該横溝の横方向に分散して上記下面に形成されているので、縦筋挿通用の縦溝が両側面壁部に形成されている建築用ブロックを水平方向に配列し、水平方向の端部には、上記縦筋挿通用の縦溝が一方の側面壁部に形成されており、上記端部側の他方の側面壁部に上下方向に貫通する縦筋挿通用の縦孔が形成されている建築用ブロックを配置し、各建築用ブロックの外周面を互いに当接させて、上側に位置する建築用ブロックの複数の凸部を下側に位置する建築用ブロックの横溝に嵌合させて平面状に複数配列し、縦筋を挿通した縦溝及び縦孔にモルタルを充填するとともに、横筋を挿通した横溝にモルタルを充填し、上記建築用ブロックの当接面間に目地モルタルを介在させ、各建築用ブロックを互いに連結固定した壁面構造物を構築することができる。
【００２４】
したがって、本発明によれば、耐久性が高く、しかも、汎用性のある建築用ブロックおよび壁面構造物を提供することができる。
【図面の簡単な説明】
【００２５】
【図１】本発明を適用した建築用ブロックの一例を示す斜視図である。
【図２】上記建築用ブロックの斜め下方向から見た斜視図である。
【図３】上記建築用ブロックを積み重ねた壁面の耐久性試験に用いる試験体を模式的に示す図である。
【図４】上記建築用ブロックを積み重ねた壁面の耐久性試験方法を説明するための模式図である。
【図５】上記建築用ブロックを積み重ねた壁面の耐久性試験の結果を従来構造の建築用ブロックを積み重ねた壁面の耐久性試験の結果とともに示す図である。
【図６】本発明を適用した建築用ブロックを積み重ねた壁面構造の一例を示す側面図である。
【図７】本発明を適用した建築用ブロックの他の一例を示す斜視図である。
【図８】上記建築用ブロックの斜め下方向から見た斜視図である。
【図９】本発明を適用した上記二種類の建築用ブロックを積み重ねた壁面構造の一例を示す側面図である。
【図１０】本発明を適用した建築用ブロックをＴ字状に組み合わせて使用する状態を示す図であり、（Ａ）は３個の建築用ブロックを分離した状態を示す斜視図であり、（Ｂ）は３個の建築用ブロックを付き合わせて結合した状態を示す平面図である。
【図１１】本発明を適用した建築用ブロックをＬ字状に組み合わせて使用する状態を示す図であり、（Ａ）は２個の建築用ブロックを分離した状態を示す斜視図であり、（Ｂ）は２個の建築用ブロックを付き合わせて結合した状態を示す平面図である。
【図１２】本発明を適用した建築用ブロックを積み重ねた壁面の構造の一例を示す斜視図である。
【図１３】本発明を適用した建築用ブロックの他の一例を示す斜視図である。
【図１４】上記建築用ブロックの上下を反転して斜め上方向から見た斜視図である。
【図１５】上記建築用ブロックを横方向に並べた状態を示す斜視図である。
【発明を実施するための形態】
【００２６】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２７】
図１、図２は本発明に係る建築用ブロックの一実施形態を示す図であり、図１は本発明を適用した建築用ブロック１０を斜め上方から見た斜視図、図２は上記建築用ブロック１０を斜め下方側から見た斜視図である。
【００２８】
本実施形態の建築用ブロック１０は、例えば、壁や塀の建設に用いる建築用コンクリートブロックであって、互いに平行な前面壁部１１及び背面壁部１２と、横筋挿通用の横溝１３Ａが形成された上面壁部１３と、縦筋挿通用の縦溝１４が形成された側面壁部１５と、両側面壁部１５（Ｒ），１５（Ｌ）の間に形成され、上記上面壁部１３により閉じられ下面側を開口とされた縦孔１６と、下面に形成された上記横溝１３Ａと嵌合する形状の複数の凸部１７と、上記前面壁部１１及び背面壁部１２の各側面にそれぞれ縦方向に形成された凹条部１８を備える。
【００２９】
この建築用ブロック１０では、図１に示すように、互いに平行な前面壁部１１及び背面壁部１２と、縦筋挿通用の縦溝１４（Ｒ）が形成された右側面壁部１５（Ｒ）と、縦筋挿通用の縦溝１４（Ｌ）が形成された左側面壁部１５（Ｌ）を備える。
【００３０】
また、この建築用ブロック１０は、図２に示すように、両側面壁部１５（Ｒ），１５（Ｌ）の間に形成された３つの縦孔１６を備えている。上記３つの縦孔１６は、上記上面壁部１３により閉じられ下面側を開口とされている。
【００３１】
また、この建築用ブロック１０は、図２に示すように、上記縦溝１４（Ｒ），１４（Ｌ）と縦孔１６の間の側壁の下面から突出した４つの凸部１７が設けられている。上記４つの凸部１７は、それぞれ上記横溝１３Ａの幅方向には該横溝１３Ａの全幅に亘って連続し、該横溝１３Ａの横方向に分散して上記下面に形成され、上面壁部１３に形成されている上記横溝１３Ａと縦筋挿通用の空間を確保した状態で嵌合する形状を有している。
【００３２】
さらに、この建築用ブロック１０は、図１、図２に示すように、上記前面壁部１１及び背面壁部１２の各側面にそれぞれ縦方向に形成された凹条部１８を備える。
【００３３】
ここで、上記建築用ブロック１０の凸部１７の効果を確認するために、上記凸部１７を設けない比較例の建築用ブロックの積層構造体について、剪断加圧試験を行い、剪断耐力を比較したところ、次のような結果が得られた。
【００３４】
試験体は、図３に示す２種類各３体とした。試験体Ａは、凸部を設けない建築用ブロックとしてコンクリートブロックＣ種を用い、横筋挿通用の横溝にモルタルを充填したのち、リブにモルタルを塗布して３段積層した。試験体Ｂは、凸部を設けた建築用ブロックとして下部を１０ｍｍ欠き込んだコンクリートブロックＣ種を用い、横筋挿通用の横溝にモルタルを充填したのち、リブにモルタルを塗布して３段積層した。養生期間は中２日とした。
【００３５】
試験方法は、図４に示すように、鉛直アクチュエータ試験機１００を用い、試験体両側のブロックを架台１１０に載せ、中央のブロックに加力治具（幅１５０ｍｍ）１２０を介して、単調加力により破壊に至るまで加力した。変位計（株式会社東京測器研究所製ＣＤＰ１００）１３０は治具の４点に固定し、両側のブロックとの相対変位を記録し、４点の変位を平均して求めた。
【００３６】
上記剪断加圧試験の結果、図５に示すような荷重変形曲線が得られた。また、各試験体の最大荷重を表１に示す。
【００３７】
【表１】
2016027240.tif 000003
【００３８】
試験体Ｂでは、目地モルタルが破断していったん耐力が低下するが、嵌合部の接触により耐力は増加し、最大荷重はいずれも２０ｋＮを超え、平均で約３０ｋＮと試験体Ａに比べて大きく向上している。
【００３９】
上述の如き構造の建築用ブロック１０では、平面状に複数配列して壁面構造を構築する際に、図６に示すように、上側に位置する建築用ブロックの複数の凸部１７を下側に位置する建築用ブロックの横溝１３Ａに嵌合させることにより、壁面構造５０の耐久性を高めることができる。
【００４０】
また、上記前面壁部１１及び背面壁部１２の各側面にそれぞれ縦方向に形成された凹条部１８を備えるので、建築用ブロック１０の当接面間に介在させる目地モルタルの耐久性を高めることができる。すなわち、建築用ブロック１０の当接面間に介在させる目地モルタルは、上記前面壁部１１及び背面壁部１２の各側面にそれぞれ縦方向に形成された凹条部１８に入り込んだ状態で固まるので、各建築用ブロック１０を強固に連結固定することができる。しかも、縦筋を挿通した縦溝及び縦孔にモルタルを充填するとともに、横筋を挿通した横溝にモルタルを充填し、上記建築用ブロック１０の当接面間に目地モルタルを介在させ、各建築用ブロックを互いに連結固定することにより、耐久性の高い壁面構造５０を構築することができる。
【００４１】
すなわち、この建築用ブロック１０は、矩形立方体を基本形体とし、互いに平行な前面壁部１１及び背面壁部１２と、横筋挿通用の横溝１３Ａが形成された上面壁部１３と、縦筋挿通用の縦溝１４が形成された側面壁部１５と、両側面壁部１５（Ｒ），１５（Ｌ）の間に形成され、上記上面壁部１３により閉じられ下面側を開口とされた少なくとも１つの縦孔１６と、下面に形成された上記横溝１３Ａと横筋挿通用の空間を確保した状態で嵌合する形状の複数の凸部１７と、上記前面壁部１１及び背面壁部１２の各側面にそれぞれ縦方向に形成された凹条部１８とを有することにより、耐久性の高い壁面構造を構築することができる。
【００４２】
また、この建築用ブロック１０は、両側面壁部１５（Ｒ），１５（Ｌ）の間に形成され、上記上面壁部１３により閉じられ下面側を開口とされた少なくとも１つの縦孔１６を備えることにより、軽量化されている。
【００４３】
ここで、上記建築用ブロック１０は、縦筋挿通用の縦溝１４（Ｒ）が形成された右側面壁部１５（Ｒ）と、縦筋挿通用の縦溝１４（Ｌ）が形成された左側面壁部１５（Ｌ）を備えるものとしたが、本発明に係る建築用ブロックは、上記縦筋挿通用の縦溝が一方の側面壁部に形成されており、他方の側面壁部には、上下方向に貫通する縦筋挿通用の縦孔が形成されているものとすることができる。
【００４４】
図７、図８は本発明に係る建築用ブロックの一実施形態を示す図であり、図７は本発明を適用した建築用ブロック２０を斜め上方から見た斜視図、図８は上記建築用ブロック２０を斜め下方側から見た斜視図である。
【００４５】
本実施形態の建築用ブロック２０は、上記建築用ブロック２０と同様に壁や塀の建設に用いる建築用コンクリートブロックであって、互いに平行な前面壁部２１及び背面壁部２２と、横筋挿通用の横溝２３Ａが形成された上面壁部２３と、縦筋挿通用の縦溝２４が形成された側面壁部２５と、両側面壁部２５（Ｒ），２５（Ｌ）の間に形成され、上記上面壁部２３により閉じられ下面側を開口とされた縦孔２６と、下面に形成された上記横溝２３Ａと嵌合する形状の複数の凸部２７と、上記前面壁部２１及び背面壁部２２の各側面にそれぞれ縦方向に形成された凹条部２８を備える。
【００４６】
この建築用ブロック２０では、図７に示すように、互いに平行な前面壁部２１及び背面壁部２２と、縦筋挿通用の縦溝２４（Ｒ）が形成された右側面壁部２５（Ｒ）と、左側面壁部２５（Ｌ）と、上記左側面壁部２５（Ｌ）に形成された上下方向に貫通する縦筋挿通用の縦孔２９を備える。
【００４７】
また、この建築用ブロック２０は、図８に示すように、両側面壁部２５（Ｒ），２５（Ｌ）の間には、さらに２つの縦孔２６が形成されており、これら２つの縦孔２６は、上記上面壁部２３により閉じられ下面側を開口とされている。
【００４８】
そして、この建築用ブロック２０は、図８に示すように、上記縦溝２４（Ｒ）と上記縦孔２９、縦孔２６の間の側壁の下面から突出した３つの凸部２７が設けられている。上記３つの凸部２７は、それぞれ上記横溝２３Ａの幅方向には該横溝２３Ａの全幅に亘って連続し、該横溝２３Ａの横方向に分散して上記下面に形成され、上面壁部２３に形成されている上記横溝２３Ａと縦筋挿通用の空間を確保した状態で嵌合する形状を有している。
【００４９】
さらに、この建築用ブロック２０は、図７、図８に示すように、上記前面壁部２１及び背面壁部２２の各側面にそれぞれ縦方向に形成された凹条部２８を備える。
【００５０】
このような構造の建築用ブロック２０は、本発明に係る上記建築用ブロック１０により構築される壁面構造の水平方向の端部に配置する建築用ブロックとして用いられる
【００５１】
すなわち、上述の如き構造の建築用ブロック１０，２０は、図９に示すように、上記縦筋挿通用の縦溝１４（Ｒ），１４（Ｌ）が両側面壁部１５（Ｒ），１５（Ｌ）に形成されている建築用ブロック１０を水平方向に配列し、水平方向の端部には、上記縦筋挿通用の縦溝が一方の側面壁部に形成されており、上記端部側の他方の側面壁部に上下方向に貫通する縦筋挿通用の縦孔２９が形成されている建築用ブロック２０を配置し、各建築用ブロックの外周面を互いに当接させて、上側に位置する建築用ブロック１０，２０の複数の凸部１７，２７を下側に位置する建築用ブロック１０，２０の横溝１３Ａ，２３Ａに嵌合させて平面状に複数配列し、縦筋３０を挿通した縦溝１４（Ｒ）及び縦孔２９にモルタルを充填するとともに、横筋４０を挿通した横溝１３Ａ，２３Ａにモルタルを充填し、上記建築用ブロックの当接面間に目地モルタルを介在させ、各建築用ブロックを互いに連結固定することにより、耐久性の高い壁面構造６０を構築することができる。
【００５２】
ここで、上記建築用ブロック１０は、図１０の（Ａ）、（Ｂ）に示すように、水平方向に隣接して側面壁部が当接される２個の建築用ブロック１０Ａ，１０Ｂの各前面壁部又は各背面壁部の当接部分を削除することにより形成される上下方向に連続する開口部１９設け、この開口部１９を閉塞するように、他の建築用ブロック１０Ｃの縦筋挿通用の縦溝が形成された側面壁部を当接させることにより、上記３個の建築用ブロック１０Ａ，１０Ｂ，１０ＣをＴ字状に当接させた壁面構造７０Ａを構築することができる。
【００５３】
また、図１０の（Ａ）、（Ｂ）に示すように、上記建築用ブロック１０，２０は、水平方向の端部に位置する建築用ブロック２０の前面壁部２１又は背面壁部２２の当接部分を削除することにより形成される上下方向に連続する開口部２９を設け、この開口部２９を閉塞するように、建築用ブロック１０の縦筋挿通用の縦溝が形成された側面壁部を当接させることにより、上記２個の建築用ブロック１０，２０をＬ字状に当接させた壁面構造７０Ｂを構築することができる。
【００５４】
したがって、上述の如き構造の建築用ブロック１０，２０を用いることにより、縦筋挿通用の縦溝１４（Ｒ），１４（Ｌ）が両側面壁部１５（Ｒ），１５（Ｌ）に形成されている建築用ブロック１０を水平方向に配列し、水平方向の端部には、側面壁部に上下方向に貫通する縦筋挿通用の縦孔２９が形成されている建築用ブロック２０を配置し、各建築用ブロックの外周面を互いに当接させて、上側に位置する建築用ブロックの複数の凸部を下側に位置する建築用ブロックの横溝に嵌合させて平面状に複数配列し、縦筋を挿通した縦溝及び縦孔にモルタルを充填するとともに、横筋を挿通した横溝にモルタルを充填し、上記建築用ブロックの当接面間に目地モルタルを介在させ、各建築用ブロックを互いに連結固定することにより構築される壁面構造７０は、図１２に示すように、上記３個の建築用ブロック１０Ａ，１０Ｂ，１０ＣをＴ字状に当接させた壁面構造７０Ａを含むものとすることができ、さらに、上記２個の建築用ブロック１０，２０をＬ字状に当接させた壁面構造７０Ｂを含むものとすることができる。
【００５５】
図１３、図１４は本発明に係る建築用ブロックの他の実施形態を示す図であり、図１３は本発明を適用した建築用ブロック８０を斜め上方から見た斜視図、図１４は上記建築用ブロック８０を上下を反転させた状態で斜め上方側から見た斜視図である。
【００５６】
本実施形態の建築用ブロック８０は、例えば、壁や塀の建設に用いる建築用コンクリートブロックであって、互いに平行な前面壁部８１及び背面壁部８２と、横筋挿通用の横溝８３Ａが形成された上面壁部８３と、縦筋挿通用の縦溝８４が形成された側面壁部８５と、両側面壁部８５（Ｒ），８５（Ｌ）の間に形成され、上記上面壁部８３により閉じられ下面側を開口とされた縦孔８６と、下面に形成された上記横溝８３Ａと嵌合する形状の複数の凸部８７と、上記前面壁部８１及び背面壁部８２の各側面にそれぞれ縦方向に形成された凸条部８８を備える。
【００５７】
この建築用ブロック８０では、図１３に示すように、互いに平行な前面壁部８１及び背面壁部８２と、縦筋挿通用の縦溝８４（Ｒ）が形成された右側面壁部８５（Ｒ）と、縦筋挿通用の縦溝８４（Ｌ）が形成された左側面壁部８５（Ｌ）を備える。
【００５８】
また、この建築用ブロック８０は、図１４に示すように、両側面壁部８５（Ｒ），８５（Ｌ）の間に形成された３つの縦孔８６を備えている。上記３つの縦孔８６は、上記上面壁部８３により閉じられ下面側を開口とされている。
【００５９】
また、この建築用ブロック８０は、図１４に示すように、上記縦溝８４（Ｒ），８４（Ｌ）と縦孔８６の間の側壁の下面から突出した４つの凸部８７が設けられている。上記４つの凸部８７は、それぞれ上記横溝８３Ａの幅方向には該横溝８３Ａの全幅に亘って連続し、該横溝８３Ａの横方向に分散して上記下面に形成され、上面壁部８３に形成されている上記横溝８３Ａと縦筋挿通用の空間を確保した状態で嵌合する形状を有している。
【００６０】
さらに、この建築用ブロック８０は、図１３、図１４に示すように、上記前面壁部８１及び背面壁部８２の一端面に、上記側面壁部８５（Ｌ）から水平方向に突出し縦方向に連続して形成された一対の凸条部８８を備える。上記一対の凸条部８８は、上記前面壁部８１と背面壁部８２の各内壁面と略面一に形成された外壁面を有している。
【００６１】
このような構造の建築用ブロック８０では、例えば図１５に示すように、水平方向に並べた場合に、一つの建築用ブロック８０Ａの側面壁部８５（Ｒ）に、隣に配置される建築用ブロック８０Ｂの一対の凸条部８８が嵌り、上記建築用ブロック８０Ｂの側面壁部８５（Ｒ）に、隣に配置される建築用ブロック８０Ｃの一対の凸条部８８が嵌ることにより、壁面構造の耐久性を高めることができる。
【００６２】
すなわち、この建築用ブロック８０では、上記建築用ブロック１０と同様に平面状に複数配列して壁面構造を構築する際に、上側に位置する建築用ブロックの複数の凸部８７を下側に位置する建築用ブロックの横溝８３Ａに嵌合させるとともに、横方向に位置する建築用ブロックの一対の凸条部８８を隣に位置する建築用ブロックの側面壁部８５（Ｒ）に嵌合させることにより、壁面構造の耐久性を確実に高めることができる。
【００６３】
なお、上記建築用ブロック８０では、上記前面壁部８１及び背面壁部８２の一端面に、上記側面壁部８５（Ｌ）から水平方向に突出し縦方向に連続して形成された一対の凸条部８８を備えるものとしたが、上記一対の凸条部８８に代えて、隣に位置する建築用ブロックの側面壁部８５（Ｒ）に嵌合可能な形状であれば、全幅に亘って連続する一つの凸条部を備えるものとしてもよく、さらに、縦方向に分散させた複数の凸部とすることもできる。
【符号の説明】
【００６４】
１０，１０Ａ，１０Ｂ，１０Ｃ，２０，８０，８０Ａ，８０Ｂ，８０Ｃ  建築用ブロック、１１，２１，８１  前面壁部、１２，２２，８２  背面壁部、１３Ａ，２３Ａ，８３Ａ  横溝、１３，２３，８３  上面壁部、１４（Ｒ），１４（Ｌ），２４，８４（Ｌ），８４（Ｒ）  縦溝、１５（Ｒ），１５（Ｌ），２５（Ｒ），２５（Ｌ），８５（Ｌ），８５（Ｒ）  側面壁部、１６，２６，８６  縦孔、１７，２７，８７  凸部、１８，２８  凹条部、２９  縦孔、５０，６０，７０，７０Ａ，７０Ｂ  壁面構造、８８  凸条部
【図１】
2016027240.tif 000004
【図２】
2016027240.tif 000005
【図３】
2016027240.tif 000006
【図４】
2016027240.tif 000007
【図５】
2016027240.tif 000008
【図６】
2016027240.tif 000009
【図７】
2016027240.tif 000010
【図８】
2016027240.tif 000011
【図９】
2016027240.tif 000012
【図１０】
2016027240.tif 000013
【図１１】
2016027240.tif 000014
【図１２】
2016027240.tif 000015
【図１３】
2016027240.tif 000016
【図１４】
2016027240.tif 000017
【図１５】
2016027240.tif 000018
【手続補正書】
【提出日】平成27年10月1日(2015.10.1)
【手続補正１】
【補正対象書類名】特許請求の範囲
【補正対象項目名】全文
【補正方法】変更
【補正の内容】
【特許請求の範囲】
【請求項１】
矩形立方体を基本形体として、外周面を互いに当接させて平面状に複数配列することにより壁面構造物を構築可能な建築用ブロックであって、
互いに平行な前面壁部及び背面壁部と、
横筋挿通用の横溝が形成された上面壁部と、
縦筋挿通用の縦溝が形成された側面壁部と、
両側面壁部の間に形成され、上記上面壁部により閉じられ下面側を開口とされた複数の縦孔と、
下面に形成された上記横溝と嵌合する形状の複数の凸部と、
上記前面壁部及び背面壁部の各側面にそれぞれ縦方向に形成された凹条部と
を備え、
上記複数の凸部は、それぞれ、上記複数の縦孔の側壁を上記下面よりも突出させることにより、上記横溝の幅方向には該横溝の全幅に亘って連続し、上記横溝の横方向に分散して上記下面に形成され、上記横溝の幅方向の両側に向かって拡開した２つの扇状部を有することを特徴とする建築用ブロック。
【請求項２】
矩形立方体を基本形体として、外周面を互いに当接させて平面状に複数配列することにより壁面構造物を構築可能な建築用ブロックであって、
互いに平行な前面壁部及び背面壁部と、
横筋挿通用の横溝が形成された上面壁部と、
縦筋挿通用の縦溝が形成された側面壁部と、
両側面壁部の間に形成され、上記上面壁部により閉じられ下面側を開口とされた複数の縦孔と、
下面に形成された上記横溝と嵌合する形状の複数の凸部と、
上記前面壁部及び背面壁部の一端面に、それぞれ、一方の側面壁部から水平方向に突出し縦方向に連続し、他方の側面壁部と嵌合する形状に形成された一対の凸条部を備え、
上記複数の凸部は、それぞれ、上記複数の縦孔の側壁を上記下面よりも突出させることにより、上記横溝の幅方向には該横溝の全幅に亘って連続し、上記横溝の横方向に分散して上記下面に形成され、上記横溝の幅方向の両側に向かって拡開した２つの扇状部を有することを特徴とする建築用ブロック。
【請求項３】
上記縦筋挿通用の縦溝は、上記両側面壁部に形成されていることを特徴とする請求項１又は請求項２記載の建築用ブロック。
【請求項４】
上記縦筋挿通用の縦溝は、一方の側面壁部に形成されており、他方の側面壁部には、上下方向に貫通する縦筋挿通用の縦孔が形成されていることを特徴とする請求項１又は請求項２記載の建築用ブロック。
【請求項５】
矩形立方体を基本形体とし、互いに平行な前面壁部及び背面壁部と、横筋挿通用の横溝が形成された上面壁部と、縦筋挿通用の縦溝が形成された側面壁部と、両側面壁部の間に形成され、上記上面壁部により閉じられ下面側を開口とされた複数の縦孔と、下面に形成された上記横溝と嵌合する形状の複数の凸部と、上記前面壁部及び背面壁部の各側面にそれぞれ縦方向に形成された凹条部とを備え、上記複数の凸部は、それぞれ、上記複数の縦孔の側壁を上記下面よりも突出させることにより、上記横溝の幅方向には該横溝の全幅に亘って連続し、上記横溝の横方向に分散して上記下面に形成され、上記横溝の幅方向の両側に向かって拡開した２つの扇状部を有する建築用ブロックからなり、
上記縦筋挿通用の縦溝が両側面壁部に形成されている建築用ブロックを水平方向に配列し、水平方向の端部には、上記縦筋挿通用の縦溝が一方の側面壁部に形成されており、上記端部側の他方の側面壁部に上下方向に貫通する縦筋挿通用の縦孔が形成されている建築用ブロックを配置し、各建築用ブロックの外周面を互いに当接させて、上側に位置する建築用ブロックの複数の凸部を下側に位置する建築用ブロックの横溝に嵌合させて平面状に複数配列し、縦筋を挿通した縦溝及び縦孔にモルタルを充填するとともに、横筋を挿通した横溝にモルタルを充填し、上記建築用ブロックの当接面間に目地モルタルを介在させ、各建築用ブロックを互いに連結固定することにより構築したことを特徴とする壁面構造物。
【請求項６】
矩形立方体を基本形体とし、互いに平行な前面壁部及び背面壁部と、横筋挿通用の横溝が形成された上面壁部と、縦筋挿通用の縦溝が形成された側面壁部と、両側面壁部の間に形成され、上記上面壁部により閉じられ下面側を開口とされた複数の縦孔と、下面に形成された上記横溝と嵌合する形状の複数の凸部と、上記前面壁部及び背面壁部の一端面に、それぞれ、一方の側面壁部から水平方向に突出し縦方向に連続し、他方の側面壁部と嵌合する形状に形成された一対の凸条部を備え、上記複数の凸部は、それぞれ、上記複数の縦孔の側壁を上記下面よりも突出させることにより、上記横溝の幅方向には該横溝の全幅に亘って連続し、上記横溝の横方向に分散して上記下面に形成され、上記横溝の幅方向の両側に向かって拡開した２つの扇状部を有する建築用ブロックからなり、
上記縦筋挿通用の縦溝が両側面壁部に形成されている建築用ブロックを水平方向に配列し、水平方向の端部には、上記縦筋挿通用の縦溝が一方の側面壁部に形成されており、上記端部側の他方の側面壁部に上下方向に貫通する縦筋挿通用の縦孔が形成されている建築用ブロックを配置し、各建築用ブロックの外周面を互いに当接させて、上側に位置する建築用ブロックの複数の凸部を下側に位置する建築用ブロックの横溝に嵌合させて平面状に複数配列し、縦筋を挿通した縦溝及び縦孔にモルタルを充填するとともに、横筋を挿通した横溝にモルタルを充填し、上記建築用ブロックの当接面間に目地モルタルを介在させ、各建築用ブロックを互いに連結固定することにより構築したことを特徴とする壁面構造物。
【請求項７】
水平方向に隣接し、側面壁部が対向して配置される２個の建築用ブロックの各前面壁部又は各背面壁部の当接部分を削除することにより形成された上下方向に連続する開口部を有し、他の建築用ブロックの縦筋挿通用の縦溝が形成された側面壁部により上記開口部を閉塞するように、他の建築用ブロックの前面壁部又は背面壁部の各側面を上記２個の建築用ブロックに当接させることにより構築される３個の建築用ブロックをＴ字状に当接させた壁面構造を含むことを特徴とする請求項５又は請求項６記載の壁面構造物。
【請求項８】
水平方向の端部に位置する建築用ブロックの各前面壁部又は各背面壁部の当接部分を削除することにより形成される上下方向に連続する開口部を有し、他の建築用ブロックの縦筋挿通用の縦溝が形成された側面壁部により上記開口部を閉塞するように、他の建築用ブロックの前面壁部又は背面壁部の各側面を当接させることにより構築される２個の建築用ブロックをＬ字状に当接させた壁面構造を含むことを特徴とする請求項５乃至請求項７の何れか１項記載の壁面構造物。
【手続補正２】
【補正対象書類名】明細書
【補正対象項目名】００１５
【補正方法】変更
【補正の内容】
【００１５】
本発明は、矩形立方体を基本形体として、外周面を互いに当接させて平面状に複数配列することにより壁面構造物を構築可能な建築用ブロックであって、互いに平行な前面壁部及び背面壁部と、横筋挿通用の横溝が形成された上面壁部と、縦筋挿通用の縦溝が形成された側面壁部と、両側面壁部の間に形成され、上記上面壁部により閉じられ下面側を開口とされた複数の縦孔と、下面に形成された上記横溝と嵌合する形状の複数の凸部と、上記前面壁部及び背面壁部の各側面にそれぞれ縦方向に形成された凹条部とを備え、上記複数の凸部は、それぞれ、上記複数の縦孔の側壁を上記下面よりも突出させることにより、上記横溝の幅方向には該横溝の全幅に亘って連続し、上記横溝の横方向に分散して上記下面に形成され、上記横溝の幅方向の両側に向かって拡開した２つの扇状部を有することを特徴とする。
【手続補正３】
【補正対象書類名】明細書
【補正対象項目名】００１６
【補正方法】変更
【補正の内容】
【００１６】
また、本発明は、矩形立方体を基本形体として、外周面を互いに当接させて平面状に複数配列することにより壁面構造物を構築可能な建築用ブロックであって、互いに平行な前面壁部及び背面壁部と、横筋挿通用の横溝が形成された上面壁部と、縦筋挿通用の縦溝が形成された側面壁部と、両側面壁部の間に形成され、上記上面壁部により閉じられ下面側を開口とされた複数の縦孔と、下面に形成された上記横溝と嵌合する形状の複数の凸部と、上記前面壁部及び背面壁部の一端面に、それぞれ、一方の側面壁部から水平方向に突出し縦方向に連続し、他方の側面壁部と嵌合する形状に形成された一対の凸条部を備え、上記複数の凸部は、それぞれ、上記複数の縦孔の側壁を上記下面よりも突出させることにより、上記横溝の幅方向には該横溝の全幅に亘って連続し、上記横溝の横方向に分散して上記下面に形成され、上記横溝の幅方向の両側に向かって拡開した２つの扇状部を有することを特徴とする。
【手続補正４】
【補正対象書類名】明細書
【補正対象項目名】００１９
【補正方法】変更
【補正の内容】
【００１９】
本発明は、壁面構造物であって、矩形立方体を基本形体とし、互いに平行な前面壁部及び背面壁部と、横筋挿通用の横溝が形成された上面壁部と、縦筋挿通用の縦溝が形成された側面壁部と、両側面壁部の間に形成され、上記上面壁部により閉じられ下面側を開口とされた複数の縦孔と、下面に形成された上記横溝と嵌合する形状の複数の凸部と、上記前面壁部及び背面壁部の各側面にそれぞれ縦方向に形成された凹条部とを備え、上記複数の凸部は、それぞれ、上記複数の縦孔の側壁を上記下面よりも突出させることにより、上記横溝の幅方向には該横溝の全幅に亘って連続し、上記横溝の横方向に分散して上記下面に形成され、上記横溝の幅方向の両側に向かって拡開した２つの扇状部を有する建築用ブロックからなり、上記縦筋挿通用の縦溝が両側面壁部に形成されている建築用ブロックを水平方向に配列し、水平方向の端部には、上記縦筋挿通用の縦溝が一方の側面壁部に形成されており、上記端部側の他方の側面壁部に上下方向に貫通する縦筋挿通用の縦孔が形成されている建築用ブロックを配置し、各建築用ブロックの外周面を互いに当接させて、上側に位置する建築用ブロックの複数の凸部を下側に位置する建築用ブロックの横溝に嵌合させて平面状に複数配列し、縦筋を挿通した縦溝及び縦孔にモルタルを充填するとともに、横筋を挿通した横溝にモルタルを充填し、上記建築用ブロックの当接面間に目地モルタルを介在させ、各建築用ブロックを互いに連結固定することにより構築したことを特徴とする。
【手続補正５】
【補正対象書類名】明細書
【補正対象項目名】００２０
【補正方法】変更
【補正の内容】
【００２０】
また、本発明は、矩形立方体を基本形体とし、互いに平行な前面壁部及び背面壁部と、横筋挿通用の横溝が形成された上面壁部と、縦筋挿通用の縦溝が形成された側面壁部と、両側面壁部の間に形成され、上記上面壁部により閉じられ下面側を開口とされた複数の縦孔と、下面に形成された上記横溝と嵌合する形状の複数の凸部と、上記前面壁部及び背面壁部の一端面に、それぞれ、一方の側面壁部から水平方向に突出し縦方向に連続し、他方の側面壁部と嵌合する形状に形成された一対の凸条部を備え、上記複数の凸部は、それぞれ、上記複数の縦孔の側壁を上記下面よりも突出させることにより、上記横溝の幅方向には該横溝の全幅に亘って連続し、上記横溝の横方向に分散して上記下面に形成され、上記横溝の幅方向の両側に向かって拡開した２つの扇状部を有する建築用ブロックからなり、上記縦筋挿通用の縦溝が両側面壁部に形成されている建築用ブロックを水平方向に配列し、水平方向の端部には、上記縦筋挿通用の縦溝が一方の側面壁部に形成されており、上記端部側の他方の側面壁部に上下方向に貫通する縦筋挿通用の縦孔が形成されている建築用ブロックを配置し、各建築用ブロックの外周面を互いに当接させて、上側に位置する建築用ブロックの複数の凸部を下側に位置する建築用ブロックの横溝に嵌合させて平面状に複数配列し、縦筋を挿通した縦溝及び縦孔にモルタルを充填するとともに、横筋を挿通した横溝にモルタルを充填し、上記建築用ブロックの当接面間に目地モルタルを介在させ、各建築用ブロックを互いに連結固定することにより構築したことを特徴とする。
【手続補正６】
【補正対象書類名】明細書
【補正対象項目名】００２３
【補正方法】変更
【補正の内容】
【００２３】
本発明に係る建築用ブロックは、矩形立方体を基本形体として、外周面を互いに当接させて平面状に複数配列することにより壁面構造物を構築可能な建築用ブロックであって、互いに平行な前面壁部及び背面壁部と、横筋挿通用の横溝が形成された上面壁部と、縦筋挿通用の縦溝が形成された側面壁部と、両側面壁部の間に形成され、上記上面壁部により閉じられ下面側を開口とされた複数の縦孔と、下面に形成された上記横溝と嵌合する形状の複数の凸部と、上記前面壁部及び背面壁部の各側面にそれぞれ縦方向に形成された凹条部とを備え、上記複数の凸部は、それぞれ、上記複数の縦孔の側壁を上記下面よりも突出させることにより、上記横溝の幅方向には該横溝の全幅に亘って連続し、上記横溝の横方向に分散して上記下面に形成され、上記横溝の幅方向の両側に向かって拡開した２つの扇状部を有するので、縦筋挿通用の縦溝が両側面壁部に形成されている建築用ブロックを水平方向に配列し、水平方向の端部には、上記縦筋挿通用の縦溝が一方の側面壁部に形成されており、上記端部側の他方の側面壁部に上下方向に貫通する縦筋挿通用の縦孔が形成されている建築用ブロックを配置し、各建築用ブロックの外周面を互いに当接させて、上側に位置する建築用ブロックの複数の凸部を下側に位置する建築用ブロックの横溝に嵌合させて平面状に複数配列し、縦筋を挿通した縦溝及び縦孔にモルタルを充填するとともに、横筋を挿通した横溝にモルタルを充填し、上記建築用ブロックの当接面間に目地モルタルを介在させ、各建築用ブロックを互いに連結固定した壁面構造物を構築することができる。